(57)【特許請求の範囲】
【請求項１】
１次側巻線が発電機の出力側にカップリングされ、またはスイッチヤードにカップリングされ、２次側第１巻線が複数の第１非安全級高圧母線を介して各非安全級設備にカップリングされ、２次側第２巻線が複数の第２非安全級高圧母線を介して各非安全級設備にカップリングされ、前記２次側第２巻線が複数の安全級高圧母線を介して各安全級設備にカップリングされた三巻変圧器を含む発電所の電力系統の二重引込遮断器システムであって、
前記複数の第１非安全級高圧母線および前記複数の第２非安全級高圧母線のそれぞれに一つずつ接続された複数のメイン遮断器と、
前記複数のメイン遮断器のうちの一つに、一つが直列接続された複数の補助遮断器と、
前記メイン遮断器に対応して設置され、前記メイン遮断器に印加される非安全級高圧母線の電源レベルを測定する第１電源測定器と、
前記補助遮断器に対応して設置され、設置された第１地点の電源レベルを測定する第２電源測定器と、
前記第１電源測定器で測定した電源レベルにより非安全級高圧母線の異常を把握すると前記メイン遮断器に第１オープン信号を出力し、前記第１オープン信号出力後に前記第２電源測定器で測定した第１地点の電源レベルにより前記メイン遮断器が故障であると把握すると前記補助遮断器に第２オープン信号を出力するコントローラと、
を含む、二重引込遮断器システム。
【請求項２】
前記第１地点の電源レベルは、前記補助遮断器に印加される電源レベルであるか、前記メイン遮断器に流れる電源レベルであるか、または対応する非安全級設備に印加される電源レベルである、請求項１に記載の二重引込遮断器システム。
【請求項３】
前記メイン遮断器は、非安全級高圧母線に直列接続された第１および第２電源遮断器のうちの任意の一つであり、前記補助遮断器は、前記第１および第２電源遮断器のうちの他の一つである、請求項１に記載の二重引込遮断器システム。
【請求項４】
１次側巻線が発電機の出力側にカップリングされ、またはスイッチヤードにカップリングされ、２次側第１巻線が複数の第１非安全級高圧母線を介して各非安全級設備にカップリングされ、２次側第２巻線が複数の第２非安全級高圧母線を介して各非安全級設備にカップリングされ、前記２次側第２巻線が複数の安全級高圧母線を介して各安全級設備にカップリングされた三巻変圧器を含む発電所の電力系統の二重引込遮断器システムであって、
前記複数の第１非安全級高圧母線および前記複数の第２非安全級高圧母線のそれぞれに一つずつ接続された複数のメイン遮断器と、
前記複数のメイン遮断器のうちの一つに、一つが直列接続された複数の補助遮断器と、
前記メイン遮断器の電源レベルを測定し、測定した前記メイン遮断器の電源レベルに応じて前記メイン遮断器をオープンまたはクローズする継電器と、
前記補助遮断器に対応して設置され、設置された第１地点の電源レベルを測定する電源測定器と、
前記電源測定器から受信される電源レベルにより該当非安全級高圧母線の異常発生を把握し、異常発生時点から設定時間以後に前記電源測定器で測定した第１地点の電源レベルにより前記メイン遮断器が故障であると把握すると前記補助遮断器にオープン信号を出力するコントローラと、
を含む、二重引込遮断器システム。
【請求項５】
前記第１地点の電源レベルは、前記補助遮断器に印加される電源レベルであるか、前記メイン遮断器に流れる電源レベルであるか、または対応する非安全級設備に印加される電源レベルである、請求項４に記載の二重引込遮断器システム。
【請求項６】
前記メイン遮断器は、非安全級高圧母線に直列接続された第１および第２電源遮断器のうちの任意の一つであり、前記補助遮断器は、前記第１および第２電源遮断器のうちの他の一つである、請求項４に記載の二重引込遮断器システム。
【請求項７】
複数の第１非安全級高圧母線および複数の第２非安全級高圧母線のそれぞれに一つずつ接続された複数のメイン遮断器、前記複数のメイン遮断器のうちの一つに、一つが直列接続された複数の補助遮断器、前記メイン遮断器に対応して設置され、前記メイン遮断器に印加される非安全級高圧母線の電源レベルを測定する第１電源測定器、前記補助遮断器に対応して設置され、設置された第１地点の電源レベルを測定する第２電源測定器、およびコントローラを含む引込遮断器システムにおいて、
前記コントローラが前記第１電源測定器で測定した電源レベルが設定範囲を超えるかを判断するステップと、
前記第１電源測定器で測定した電源レベルが設定範囲を超えると、前記コントローラが前記メイン遮断器に第１オープン信号を出力するステップと、
前記第１オープン信号を出力後に、前記コントローラが前記第１電源測定器で測定した電源レベルが設定範囲を超えるかを再び判断するステップと、
前記第１電源測定器で測定した電源レベルが設定範囲を超えると、前記コントローラが前記補助遮断器に第２オープン信号を出力するステップと、
を含む、引込遮断器の制御方法。
【請求項８】
前記コントローラが前記第１電源測定器で測定した電源レベルが設定範囲を超えるかを再び判断するステップ後に、
前記第１電源測定器で測定した電源レベルが設定範囲以内であれば、前記コントローラが前記メイン遮断器をクローズする第１クローズ信号を出力するステップ
をさらに含む、請求項７に記載の引込遮断器の制御方法。
【請求項９】
前記第１電源測定器で測定した電源レベルが設定範囲を超えると、前記コントローラが前記補助遮断器に第２オープン信号を出力するステップは、
前記コントローラが前記第２電源測定器で測定した電源レベルが設定範囲を超えるかを判断するステップと、
前記第２電源測定器で測定した電源レベルが設定範囲を超えると、前記コントローラが前記補助遮断器に前記第２オープン信号を出力するステップとを含む、請求項７に記載の引込遮断器の制御方法。
【発明の詳細な説明】
【技術分野】
【０００１】
本発明は、発電所の電力系統に適用される二重引込遮断器システムに関する。
【背景技術】
【０００２】
図１には従来の発電所の所内電力系統の一例が示されている。図１は一般的な発電所の所内電力系統を示す一例示図である。図１を参照すると、従来の発電所の所内電力系統は発電所の発電機１０に接続された母線を通じて電源の供給を受ける。燃料取替などの理由で発電所の稼動が中止されて発電機１０から電源を受けることができない場合、それぞれ独立した二つの送電線にそれぞれ接続されたスイッチヤード２１，２２のうちの一つが動作され、従来の発電所の所内電力系統は動作したスイッチヤード（２１，２２のうちの一つ）を介して所外電源の供給を受ける。
【０００３】
発電機１０より供給される所内電源と、スイッチヤード２１および単巻変圧器である主変圧器３１を介して供給される所外電源は、メイン母線１１を通じて第１の三巻変圧器４１の１次側巻線に供給され、スイッチヤード２２を介して供給される所外電源は第２の三巻変圧器４２の１次側巻線に供給される。第１の三巻変圧器４１と第２の三巻変圧器４２それぞれの２次側第１巻線ａには複数の非安全級高圧母線が接続されており、それぞれの２次側第２巻線ｂには複数の非安全級高圧母線および複数の安全級高圧母線が接続されている。
【０００４】
そして、非安全級高圧母線に非安全級設備５１，５２がカップリングされ、安全級高圧母線に安全級設備５３がカップリングされる。非安全級設備５１，５２は非安全級高圧母線を通じて電源の供給を受け、安全級設備５３は安全級高圧母線を通じて電源の供給を受ける。ここで非安全級設備５１，５２は常時電源が供給されなくてもよい重要度の低い設備、例えば、電灯などであり、安全級設備は常時電源が供給されなければならない設備、例えばポンプなどの重要度の高い設備である。
【０００５】
一つの非安全級設備は、第１の三巻変圧器４１に接続された一つの非安全級高圧母線と第２の三巻変圧器４２に接続された一つの非安全級高圧母線にカップリングされて第１の三巻変圧器４１と第２の三巻変圧器４２のうちの一つから電源の供給を受ける。安全級設備５３も第１の三巻変圧器４１に接続された一つの安全級高圧母線と第２の三巻変圧器４２に接続された一つの安全級高圧母線にカップリングされて第１の三巻変圧器４１と第２の三巻変圧器４２のうちの一つから電源の供給を受ける。
【０００６】
そして、発電所の所内電力系統には非安全級高圧母線に設置されて非安全級高圧母線に発生した故障などの異常状況が安全級高圧母線に波及しないようにするために非安全級高圧母線ごとに一つの引込遮断器６０が設置されている。
【０００７】
しかし、非安全級高圧母線で故障が発生するとき、引込遮断器６０が正常に動作しない故障状態であれば、引込遮断器６０は引き続きクローズ状態を維持して安全級高圧母線に悪影響を及ぼす問題が発生する。
【０００８】
このような問題を解決するための方法として非安全級高圧母線と安全級高圧母線が独立して分離するように三巻変圧器を用いず単巻変圧器を用いる方法がある。しかし、三巻変圧器を単巻変圧器に交替するためには一台の三巻変圧器に対応して少なくとも二台の単巻変圧器が必要であるため、相当なコストがかかる。また、現在の設備内に増えた台数の変圧器を収容するほどの空間不足によりこれを設備内に設置することが難しい問題がある。
【発明の概要】
【発明が解決しようとする課題】
【０００９】
本発明は、前述した問題および他の問題を解決することを目的とする。また他の目的は、発電所の所内電力系統で三巻変圧器を用いながらも非安全級高圧母線に発生した異常状況に対して安全級高圧母線が影響を受けないようにする発電所の電力系統の二重引込遮断器システムを提供することにある。
【００１０】
また他の目的は、三巻変圧器を用いながらも非安全級高圧母線に発生した異常状況が安全級高圧母線に波及する恐れを画期的に減少させる発電所の電力系統の二重引込遮断器システムを提供することにある。
【課題を解決するための手段】
【００１１】
本発明の一実施形態による発電所の電力系統の二重引込遮断器システムは、１次側巻線が発電機の出力側にカップリングされ、スイッチヤードにカップリングされ、２次側第１巻線が複数の第１非安全級高圧母線を介して各非安全級設備にカップリングされ、２次側第２巻線が複数の第２非安全級高圧母線を介して各非安全級設備にカップリングされ、２次側第２巻線が複数の安全級高圧母線を介して各安全級設備にカップリングされた三巻変圧器を含む発電所の電力系統に適用され、複数の第１非安全級高圧母線および複数の第２非安全級高圧母線のそれぞれに一つずつ接続された複数のメイン遮断器、一つの第１遮断器に一つが直列接続された複数の補助遮断器、メイン遮断器に対応して設置され、メイン遮断器が設置された非安全級高圧母線の状態を把握するためにメイン遮断器に印加される非安全級高圧母線の電源レベルを測定する第１電源測定器、補助遮断器に対応して設置され、メイン遮断器の故障有無を把握するために設置された第１地点の電源レベルを測定する第２電源測定器、および第１電源測定器で測定した電源レベルにより非安全級高圧母線の異常を把握するとメイン遮断器に第１オープン信号を出力し、第１オープン信号出力後に第２電源測定器で測定した第１地点の電源レベルによりメイン遮断器が故障であると把握する場合に補助遮断器に第２オープン信号を出力するコントローラを含む。
【００１２】
本発明の他の実施形態による発電所の電力系統の二重引込遮断器システムは、１次側巻線が発電機の出力側にカップリングされ、スイッチヤードにカップリングされ、２次側第１巻線が複数の第１非安全級高圧母線を介して各非安全級設備にカップリングされ、２次側第２巻線が複数の第２非安全級高圧母線を介して各非安全級設備にカップリングされ、２次側第２巻線が複数の安全級高圧母線を介して各安全級設備にカップリングされた三巻変圧器を含む発電所の電力系統に適用され、複数の第１非安全級高圧母線および複数の第２非安全級高圧母線のそれぞれに一つずつ接続された複数のメイン遮断器、一つの第１遮断器に一つが直列接続された複数の補助遮断器、メイン遮断器の電源レベルを測定し、測定したメイン遮断器の電源レベルに応じてメイン遮断器をオープンまたはクローズする継電器、補助遮断器に対応して設置され、メイン遮断器の故障有無を把握するために設置された第１地点の電源レベルを測定する電源測定器、電源測定器から受信される電源レベルにより該当非安全級高圧母線の異常発生を把握し、異常発生時点から設定時間以後に電源測定器で測定した第１地点の電源レベルによりメイン遮断器が故障であると把握する場合に補助遮断器にオープン信号を出力するコントローラを含む。
【００１３】
第１地点の電源レベルは、補助遮断器に印加される電源レベルであるかメイン遮断器に流れる電源レベルであるか該当非安全級設備に印加される電源レベルである。
【００１４】
メイン遮断器は非安全級高圧母線に直列接続された第１および第２電源遮断器のうちの任意の一つであり、補助遮断器は第１および第２電源遮断器のうちの他の一つである。
【発明の効果】
【００１５】
本発明による発電所の電力系統の二重引込遮断器システムの効果について説明すると、次のとおりである。
【００１６】
本発明の実施形態の少なくとも一つによれば、非安全級高圧母線に異常状況が発生しても安全級高圧母線が影響を受けないようにする効果がある。
【００１７】
本発明の適用の可能性の追加的な範囲は、以下の詳細な説明から明らかである。しかし、本発明の思想および範囲内で多様な変更および修正は当業者に明確に理解され得るので、詳細な説明および本発明の好ましい実施形態のような特定の実施形態は単に例示として与えられたものとして理解されなければならない。
【図面の簡単な説明】
【００１８】
【図１】一般的な発電所の所内電力系統を示す一例示図である。
【図２】本発明の実施形態による発電所の電力系統の二重引込遮断器システムにおける遮断器の設置状態を示す図である。
【図３】本発明の第１実施形態による二重引込遮断器システムのブロック構成図である。
【図４】本発明の第２実施形態による二重引込遮断器システムのブロック構成図である。
【図５】本発明の第３実施形態による二重引込遮断器システムのブロック構成図である。
【図６】本発明の実施形態による二重引込遮断器システムの動作フローチャートである。
【図７】本発明の実施形態による原子力発電所に設置された二重引込遮断器システムを示す図である。
【発明を実施するための形態】
【００１９】
以下では添付した図面を参照して本発明の実施形態について本発明が属する技術分野における通常の知識を有する者が容易に実施できるように詳細に説明する。本発明は様々な異なる形態で具現することができ、ここで説明する実施形態に限定されない。図面において本発明を明確に説明するために説明と関係ない部分は省略し、明細書全体にわたって同一又は類似の構成要素に対しては同じ図面符号が使われた。また、広く知られている公知技術の場合、その具体的な説明は省略する。
【００２０】
本明細書において、ある部分がある構成要素を「含む」するという時、これは特に反対の意味を示す記載がない限り、他の構成要素を除くのではなく他の構成要素をさらに含み得ることを意味する。また、明細書に記載された「…部」、「モジュール」等の用語は、少なくとも一つの機能や動作を処理する単位を意味し、これはハードウェアやソフトウェアまたはハードウェアおよびソフトウェアの結合により実現することができる。
【００２１】
以下では添付した図面を参照して本発明の実施形態による発電所の電力系統の二重引込遮断器システムを説明する。
【００２２】
図２は本発明の実施形態による発電所の電力系統の二重引込遮断器システムにおける遮断器の設置状態を示す図である。本発明の実施形態による二重引込遮断器システムは、三巻変圧器４１，４２を介して設備に電源を供給する電力系統に適用される。理解を深めるために、図２では本発明の実施形態による二重引込遮断器システムが図１を参照して説明した従来の発電所の電力系統に適用された場合を示した。
【００２３】
図２を参照すると、本発明の実施形態による二重引込遮断器システムは、三巻変圧器４１，４２の２次側巻線と非安全級設備をカップリングさせる各非安全級高圧母線にそれぞれ直列接続された二つの遮断器１１０，１２０、すなわち第１遮断器１１０と第２遮断器１２０を含む。
【００２４】
ここで、第１遮断器１１０は、一端（入力端）が三巻変圧器４１，４２にそれぞれ接続されて他端（出力端）が第２遮断器１２０に接続される。そして、第２遮断器１２０は一端（入力端）が第１遮断器１１０の他端に接続され、他端（出力端）が設備または高圧盤に接続される。
【００２５】
このように直列接続された第１および第２遮断器１１０，１２０のうちの一つ（以下」メイン遮断器」という）は、平常時はクローズ（ｃｌｏｓｅ）状態を維持し、非安全級高圧母線に過電流、過電圧などの異常状況が発生するとスイッチ動作、すなわちオープンして異常状況が発生した非安全級高圧母線を通じて非安全級設備に電源が供給されることを遮断し、また安全級高圧母線に影響を及ぼすことを遮断する。そして、メイン遮断器は非安全級高圧母線の異常状況（例；故障）が解決されると再びクローズする。したがって、メイン遮断器は平常時に非安全級高圧母線の異常状況発生の有無に応じてオン／オフ（クローズ／オープン）スイッチング動作を行う。
【００２６】
そして、第１および第２遮断器１１０，１２０のうちの他の一つ（以下「補助遮断器」という）は、平常時にクローズ状態を維持し、メイン遮断器が正常な動作をすることができない場合、例えば、メイン遮断器が故障する場合にメイン遮断器に代わって動作、すなわちオープンして非安全級高圧母線の異常状況に対処する。補助遮断器はメイン遮断器の故障が解消されると再びクローズ状態に転換される。
【００２７】
したがって、第１遮断器１１０をメイン遮断器として用いる場合に、第２遮断器１２０は補助遮断器として用いる。他の例としては、第２遮断器１２０をメイン遮断器として用いる場合に第１遮断器１１０は補助遮断器として用いられる。
【００２８】
図３は本発明の第１実施形態による二重引込遮断器システムのブロック構成図である。図３では三巻変圧器４０の２次側巻線に接続された一つの非安全級高圧母線に設置された二つの遮断器を基準とした構成を示した。ここで、三巻変圧器４０は三巻変圧器４１，４２を通称したものである。
【００２９】
図３を参照すると、本発明の第１実施形態による二重引込遮断器システム１００は、第１および第２遮断器１１０，１２０、第１および第２電源測定器１３０，１４０、およびコントローラ１５０を含む。
【００３０】
第１および第２遮断器１１０，１２０は、三巻変圧器４０の２次側巻線に接続された各非安全級高圧母線のそれぞれに直列接続されて設置される。例えば、一つの三巻変圧器４０の２次側巻線に接続された非安全級高圧母線が１０個である場合に第１および第２遮断器１１０，１２０はそれぞれ１０個で構成される。そして、電力系統内に設置された全体三巻変圧器４０の個数が６個であり、各三巻変圧器４０の２次側巻線に接続された非安全級高圧母線がいずれも同一に１０個である場合、第１および第２遮断器１１０，１２０はそれぞれ６０個ずつで構成される。第１および第２遮断器１１０，１２０のうちの一つはメイン遮断器として動作し、他の一つは補助遮断器として動作する。
【００３１】
第１および第２電源測定器１３０，１４０は、各遮断器１１０，１２０に対応して設置され、設置された地点の電源状態、すなわち電圧レベル、電流レベルまたは電圧および電流レベルを測定してコントローラ１５０に提供する。第１および第２電源測定器１３０，１４０のうち、メイン遮断器に対応して設置された電源測定器は該当非安全級高圧母線の異常状況の有無を把握するために設置される。メイン遮断器に対応して設置された電源測定器の測定結果に応じてメイン遮断器のオン／オフ（オープン／クローズ）が決定される。補助遮断器に対応して設置された電源測定器はメイン遮断器の動作の有無を把握するために設置され、補助遮断器に対応して設置された電源測定器の測定結果に応じて補助遮断器のオン／オフ（オープン／クローズ）が決定される。
【００３２】
例えば、メイン遮断器に対応して設置された電源測定器はメイン遮断器に印加される電源を測定し、補助遮断器に対応して設置された電源測定器は補助遮断器に印加される電源またはメイン遮断器に流れる電源または高圧盤に印加される電源を測定する。
【００３３】
この際、考慮しなければならない事項は、第１および第２遮断器１１０，１２０のうちの三巻変圧器４０に接続された第１遮断器１１０がメイン遮断器である場合には第１遮断器のオン／オフに応じて第２遮断器１２０に印加される電源レベルが変動するが、第１遮断器１１０の出力端に接続された第２遮断器１２０がメイン遮断器である場合には第１遮断器１２０に印加される電源レベルが第２遮断器１２０のオン／オフに関係がない。したがって、第１および第２遮断器１１０，１２０のうちいずれの遮断器がメイン遮断器として動作するかによって各電源測定器１３０，１４０の設置位置が相異する。
【００３４】
コントローラ１５０には、第１および第２遮断器１１０，１２０のうちのいずれの遮断器がメイン遮断器として動作するかが設定されている。コントローラ１５０は第１および第２電源測定器１３０，１４０を介して受信される電源状態により該当非安全級高圧母線に故障などの異常状況が発生したかを把握し、異常状況の発生であると判断するとメイン遮断器がオープンするようにする動作制御信号を出力する。メイン遮断器オープン命令の指示後にメイン遮断器の電源が異常状況の状態であれば、コントローラ１５０は補助遮断器がオープンするようにする動作制御信号を出力する。ここでメイン遮断器として動作する遮断器の設定はユーザーによって任意に設定されることができ、随時に変更が可能である。
【００３５】
図４は本発明の第２実施形態による二重引込遮断器システムのブロック構成図である。図４では三巻変圧器４０の２次側巻線に接続された一つの非安全級高圧母線に設置された二つの遮断器を基準とした構成を示した。
【００３６】
図４を参照すると、本発明の第２実施形態による二重引込遮断器システム１００は、第１および第２遮断器１１０，１２０、継電器１３０ａ、電源測定器１４０ａ、およびコントローラ１５０ａを含む。
【００３７】
第１および第２遮断器１１０，１２０は、図３を参照して説明した内容と同様に三巻変圧器４０の２次側巻線に接続された各非安全級高圧母線のそれぞれに直列接続されて設置される。
【００３８】
継電器１３０ａはメイン遮断器として動作する第１遮断器１１０に接続され、第１遮断器１１０の電源（例；電圧または電流または電圧および電流）を把握して第１遮断器１１０に印加される電圧または流れる電源が設定範囲を超えた場合に該当非安全級高圧母線が異常状況が発生したと判断して第１遮断器１１０をオープンする信号を出力する。もちろん継電器１３０ａは第１遮断器１１０に印加される電圧または流れる電源が正常範囲（または設定範囲）以内に戻ると第１遮断器１１０をクローズする信号を出力する。
【００３９】
電源測定器１４０ａは補助遮断器として動作する第２遮断器１２０に対応して設置される。電源測定器１４０ａはメイン遮断器、すなわち第１遮断器１１０の動作の有無に応じた電圧レベル、電流レベルまたは電圧および電流レベルを測定し、測定した結果をコントローラ１５０ａに提供する。電源測定器１４０ａにより測定された結果により第２遮断器１２０の動作の有無が決定される。
【００４０】
コントローラ１５０ａは電源測定器１４０ａから受信される電源状態により該当非安全級高圧母線に故障などの異常状況が発生したかを把握する。コントローラ１５０ａは異常状況の発生時点から設定時間以後にも電源測定器１４０ａから受信される電源状態により該当非安全級高圧母線の異常状況が引き続き発生すると判断すると、メイン遮断器として動作する第１遮断器１１０が故障であると決定する。そうすると、コントローラ１５０ａは第２遮断器１２０がオープンするようにする動作制御信号を出力する。
【００４１】
図５は本発明の第３実施形態による二重引込遮断器システムのブロック構成図である。図５に示すように、本発明の第３実施形態による二重引込遮断器システム１００は本発明の第２実施形態と同じ構成を有する。ただし、本発明の第２実施形態では第１遮断器１１０がメイン遮断器として動作することに比べて、本発明の第３実施形態では第２遮断器１２０がメイン遮断器として動作する点で差がある。
【００４２】
以下では本発明の実施形態による二重引込遮断器システム１００の動作を図６を参照して説明する。
【００４３】
図６は本発明の実施形態による二重引込遮断器システムの動作フローチャートであり、本発明の実施形態による二重引込遮断器システムに対する動作フローチャートである。
【００４４】
図６を参照すると、三巻変圧器４０に発電機１０の所内電源またはスイッチヤード（２１，２２のうちの一つ）を介して所外電源が供給され、所内電源または所外電源は三巻変圧器４０の１次側および２次側の巻数比に応じて変圧され、それぞれの非安全級高圧母線とそれぞれの安全級高圧母線に提供される（Ｓ６０１）。
【００４５】
非安全級高圧母線に供給された電源は第１遮断器１１０と第２遮断器１２０を経て非安全級設備に提供される。この時、第１および第２遮断器１１０，１２０に対応して設置された電源測定器１３０，１４０は第１および第２遮断器１１０，１２０に印加される電圧または流れる電源を測定してコントローラ１５０に提供する。
【００４６】
コントローラ１５０は電源測定器１３０，１４０により測定した電源を介して第１および第２遮断器１１０，１２０のうちのメイン遮断器に印加される電圧または流れる電源レベル（すなわち、電源値）を把握し（Ｓ６０２）、把握した電源レベルを設定範囲と比較して把握した電源レベルが設定範囲を超えたかを判断する（Ｓ６０３）。
【００４７】
コントローラ１５０はメイン遮断器の電源レベルが設定範囲内であれば、高圧母線の状態が正常であると判断する。またはコントローラ１５０はメイン遮断器の電源レベルが設定範囲を超えると、高圧母線が故障であると判断してメイン遮断器にオープンを指示する制御信号を出力する（Ｓ６０４）。ここで設定範囲を一つの設定値に代替することができる。
【００４８】
コントローラ１５０はメイン遮断器にオープンを指示する制御信号を出力した後、該当電源測定器からメイン遮断器の電源レベルを再び把握し（Ｓ６０５）、メイン遮断器の電源レベルが正常範囲に戻ったかを把握する（Ｓ６０６）。
【００４９】
コントローラ１５０はＳ６０６の過程で、メイン遮断器の電源レベルが正常範囲に戻ったと判断すると、該当高圧母線の故障が解消されたと判断してメイン遮断器をクローズする制御信号を出力する（Ｓ６０７）。これに対し、コントローラ１５０はＳ６０６の過程で、メイン遮断器の電源レベルが引き続き設定範囲を超えると補助遮断器に対応して設置された電源測定器で測定した電源レベルを把握し（Ｓ６０８）、把握した電源レベルが設定範囲内であればメイン遮断器が正常に動作していると判断し、設定範囲を超えるとメイン遮断器が故障であると判断して補助遮断器をオープンする制御信号を出力する（Ｓ６１０）。
【００５０】
図７は本発明の実施形態による原子力発電所に設置された二重引込遮断器システムを示す図である。図７を参照すると、三巻変圧器４０の２次側第１巻線４１には複数の１３．８ｋＶの非安全級高圧母線が接続されており、２次側第２巻線４２には複数の４．１６ｋＶの非安全級高圧母線および複数の４．１６ｋＶの安全級高圧母線が接続されている。
【００５１】
そして、複数の１３．８ｋＶの非安全級高圧母線のそれぞれには直列接続された第１および第２遮断器１１０，１２０が設置されており、また、複数の４．１６ｋＶの非安全級高圧母線のそれぞれにも直列接続された第１および第２遮断器１１０，１２０が設置されている。
【００５２】
以上、本発明の実施形態について詳細に説明したが、本発明の権利範囲はこれに限定されるものではなく、本発明の属する分野で通常の知識を有する者が多様に変形および改良した形態も本発明の権利範囲に属する。
【符号の説明】
【００５３】
１００：二重引込遮断器システム
１１０：第１遮断器
１２０：第２遮断器
１３０：第１電源測定器
１４０：第２電源測定器
１５０，１５０ａ：コントローラ
１３０ａ：継電器
１４０ａ：電源測定器
１０：発電機
２１，２２： スイッチヤード
３１：主変圧器
４１，４２：三巻変圧器
５１，５２：非安全級設備
５３：安全級設備
６０：従来の遮断器
【図１】
0006860746.tif 000002
【図２】
0006860746.tif 000003
【図３】
0006860746.tif 000004
【図４】
0006860746.tif 000005
【図５】
0006860746.tif 000006
【図６】
0006860746.tif 000007
【図７】
0006860746.tif 000008